(57)【特許請求の範囲】
【請求項１】
マスターストロボから発光される光を受光するとそれぞれ光電変換を行うとともに、撮影条件に応じて使い分けられるために設けられた複数の受光部と、
前記複数の受光部のうち、前記撮影条件に応じた受光部を選択する選択手段と、
前記選択手段により選択された受光部によって光電変換された光電信号の変動を検出する変動検出手段と、
前記光電信号の変動に応じて、スレーブストロボの発光開始または発光停止の制御を行う制御手段と
を備えたことを特徴とするスレーブストロボ制御装置。
【請求項２】
請求項１に記載のスレーブストロボ制御装置において、
前記複数の受光部のうち１つの受光部は、その受光感度が他の受光部の受光感度により低感度に構成され、
前記選択手段は、前記撮影条件が接写撮影のときに、前記低感度の受光部を選択する
ことを特徴とするスレーブストロボ制御装置。
【請求項３】
請求項１に記載のスレーブストロボ制御装置において、
前記選択手段は、前記撮影条件が遠距離撮影のときに、前記複数の受光部を全て選択し、前記変動検出手段は、前記受光部各々で光電変換された光電信号を加算した信号の変動を検出する
ことを特徴とするスレーブストロボ制御装置。
【請求項４】
請求項１ないし請求項３の何れか１項に記載のスレーブストロボ制御装置において、
前記複数の受光部のうち少なくとも１つは、装置上方向に受光面を向けて配置されるバウンス撮影用受光部であり、
前記選択手段は、前記撮影条件がバウンス撮影のときに、前記バウンス撮影用受光部を選択する
ことを特徴とするスレーブストロボ制御装置。
【請求項５】
請求項１ないし請求項４の何れか１項に記載のスレーブストロボ制御装置において、
前記複数の受光部のうち少なくとも１つは、該受光部の受光面の向きが回動自在である
ことを特徴とするスレーブストロボ制御装置。
【請求項６】
請求項１ないし請求項５の何れか１項に記載のスレーブストロボ装置において、
前記選択手段により前記受光部が選択される際に生じる光電信号の変動を、平滑化する平滑化手段を備えた
ことを特徴とするスレーブストロボ制御装置。
【請求項７】
請求項１ないし請求項６の何れか１項に記載のスレーブストロボ制御装置と、
ストロボ発光する閃光手段とを備え、
前記スレーブストロボ制御装置は、前記閃光手段のストロボ発光開始または発光停止の制御を行う
ことを特徴とするスレーブストロボ装置。
【発明の詳細な説明】
【０００１】
【発明の属する技術分野】
本発明は、ワイヤレスストロボ増灯撮影に使用されるスレーブストロボに関し、特に、多様な撮影条件に対応可能なスレーブストロボに関する。
【０００２】
【従来の技術】
外付けの専用ストロボを装着せずにストロボ撮影が簡単に行えるストロボ内蔵カメラが広く一般に普及している。
しかしながら、ストロボ内蔵カメラの内蔵ストロボだけでは、遠方に位置する被写体を撮影するときに十分な露光量が得られない、また、内蔵ストロボで１方向から照明すると、被写体の後側に影ができてしまい、撮影者の意図する写真が得られないという欠点があった。
【０００３】
そこで、特公昭５８−２１７９８号公報において、複数のストロボをワイヤレスに調光制御して撮影する方法が提案されている。この公知例では、マスターストロボとスレーブストロボとを用意し、スレーブストロボの発光開始・発光停止を、マスターストロボの発光開始・発光停止にワイヤレスで同期させている。
【０００４】
この動作を図１１を用いて説明する。図１１において、カメラ本体５１の上部には、内蔵ストロボ５３（マスターストロボ）が設けられている。カメラ本体５１は、被写体に向けられており、内蔵ストロボ５３から発光するストロボ光は被写体方向に射出する。スレーブストロボ５４は、受信制御装置５５と接続されており、受信制御装置５５には受光窓５６が設けられ、その奥に受光素子が配置されている。受信制御装置５５は、内蔵ストロボ５３のストロボ光が照射される位置に、受光窓５６を内蔵ストロボ５３方向に向けて配置されている。
【０００５】
この状態で、内蔵ストロボ５３からストロボ光が発光すると、受信制御装置５５の受光素子が、このストロボ光の立ち上がりを検出する。スレーブストロボ５４は、内蔵ストロボ５３のストロボ発光開始に同期してストロボ発光を開始する。
カメラ本体５１は、被写体からの反射光を受光する受光部を有しており、反射光が所定の受光量（露光量）に達すると、内蔵ストロボ５３のストロボ発光を停止する。内蔵ストロボ５３のストロボ発光が停止すると、受信制御装置５５の受光素子が、このストロボ光の立ち下がりを検出する。スレーブストロボ５４は、内蔵ストロボ５３のストロボ発光の停止に同期して、ストロボ発光を停止する。
【０００６】
このように受信制御装置５５は、内蔵ストロボ５３の発光の立ち上がり、立ち下がりを検出し、それに同期させてスレーブストロボ５４の発光開始・発光停止の制御を行う。
【０００７】
【発明が解決しようとする課題】
しかしながら、上記の公知例では、標準的な撮影状況下におけるワイヤレスストロボ撮影にしか言及していない。
【０００８】
実際の撮影においては、標準的な撮影の他に、スレーブストロボを近くに設置して花等を撮影する接写や、遠く離れた場所からスレーブストロボをコントロールする遠距離撮影や、マスターストロボを天井に向けてストロボ発光させ、その反射光で間接照明を行うバウンス撮影などがある。
【０００９】
上記の公知例で、例えば、接写、遠距離撮影の両者を行おうとすると、受信制御装置５５内部の受光素子に入射する光量は、接写時では大きくなり、遠距離撮影では小さくなる。この入射光量の変動によりマスターストロボの発光の立ち上がり、立ち下がりの検出に不具合が生じる。
これを図１２を参照して説明する。図１２（Ａ）は、標準的な撮影時にマスターストロボ光を受光したときの受光素子の出力である。通常、この出力を検出回路によって微分することでマスターストロボの発光の立ち上がり、立ち下がりを検出する。
【００１０】
接写時には、マスターストロボと受信制御装置５５との距離が近距離になるため、受光素子に入射するストロボ光の強度は極端に上昇し、受光素子の出力は、図１２（Ｂ）に示すように信号レベルが上昇する。しかしながら、検出回路は、回路のダイナミックレンジで制限された信号（図中実線）に対して微分するため、立ち下がりのタイミングが、マスターストロボの発光の立ち下がりよりも遅れてしまう。したがって、スレーブストロボ５４の発光停止が、マスターストロボの発光停止より遅れてしまい、露出オーバーを引き起こす問題点があった。
【００１１】
また、遠距離撮影時には、マスターストロボと受信制御装置５５との距離が遠距離になるため、受光素子に入射するマスターストロボ光は微弱になり、受光素子の出力は、図１２（Ｃ）に示すように信号レベルが低下する。したがって、検出回路は、この信号の立ち上がり、立ち下がりを検出することができず、スレーブストロボ５４をマスターストロボに同期させて発光開始・発光停止させることができなくなる。
【００１２】
一方、バウンス撮影時には、受光素子の受光面は、天井方向ではなく、マスターストロボ方向に向けられているため、天井で反射するマスターストロボ光を直接受光することはできず、受光素子の出力信号レベルが低下し、検出回路は、マスターストロボ光の発光の立ち上がり、立ち下がりを検出することができなかった。
【００１３】
そこで、請求項１〜３に記載の発明は、上述の問題点を解決するために、接写から遠距離撮影までの多様な撮影状況に対応できるスレーブストロボ制御装置を提供することを目的とする。
また、請求項４に記載の発明は、バウンス撮影においても確実にマスターストロボ光を受光することができるスレーブストロボ制御装置を提供することを目的とする。
【００１４】
また、請求項５に記載の発明は、より確実にマスターストロボ光を検出することができるスレーブストロボ制御装置を提供することを目的とする。
また、請求項６に記載の発明は、スレーブストロボの誤発光を防止することができるスレーブストロボ制御装置を提供することを目的とする。
また、請求項７に記載の発明は、接写から遠距離撮影、またバウンス撮影の多様な撮影状況に対応できるスレーブストロボ装置を提供することを目的とする。
【００１５】
請求項１に記載のスレーブストロボ制御装置は、マスターストロボから発光される光を受光するとそれぞれ光電変換を行うとともに、撮影条件に応じて使い分けられるために設けられた複数の受光部と、複数の受光部のうち、前記撮影条件に応じた受光部を選択する選択手段と、選択手段により選択された受光部によって光電変換された光電信号の変動を検出する変動検出手段と、光電信号の変動に応じて、スレーブストロボの発光開始または発光停止の制御を行う制御手段とを備えて構成する。
【００１６】
このような構成では、撮影条件（例えば、接写や遠距離撮影等）によって受光部に入射するマスターストロボ光の強度が変わり、受光部から出力される光電信号のレベルが変わるが、それに合わせて使用する受光部を変更することができるため、所定のダイナミックレンジ内に信号レベルを調節することができる。
【００１７】
請求項２に記載の発明は、請求項１に記載のスレーブストロボ制御装置において、複数の受光部のうち１つの受光部は、その受光感度が他の受光部の受光感度により低感度に構成され、選択手段は、撮影条件が接写撮影のときに、低感度の受光部を選択することを特徴とする。このようは構成では、接写時において、受光部に入射するマスターストロボ光の強度が上昇しても、受光部から出力される光電信号のレベル上昇を抑制することができる。
【００１８】
請求項３に記載の発明は、請求項１に記載のスレーブストロボ制御装置において、選択手段は、撮影条件が遠距離撮影のときに、複数の受光部を全て選択し、変動検出手段は、受光部各々で光電変換された光電信号を加算した信号の変動を検出することを特徴とする。このような構成では、遠距離撮影においてマスターストロボ光が微弱であっても、マスターストロボ光の変動（発光の立ち上がり、立ち下がり）を確実に検出することができる。
【００１９】
請求項４に記載の発明は、請求項１ないし請求項３の何れか１項に記載のスレーブストロボ制御装置において、複数の受光部のうち少なくとも１つは、装置上方向に受光面を向けて配置されるバウンス撮影用受光部であり、選択手段は、前記撮影条件がバウンス撮影のときに、前記バウンス撮影用受光部を選択することを特徴とする。
請求項５に記載の発明は、請求項１ないし請求項４の何れか１項に記載のスレーブストロボ制御装置において、複数の受光部のうち少なくとも１つは、該受光部の受光面の向きが回動自在であることを特徴とする。したがって受光部の受光面の向きを、マスターストロボ方向に向けることができ、確実にマスターストロボ光の変動を検出することができる。
【００２０】
請求項６に記載の発明は、請求項１ないし請求項５の何れか１項に記載のスレーブストロボ装置において、選択手段により受光部が選択される際に生じる光電信号の変動を、平滑化する平滑化手段を備えたことを特徴とする。
このような構成では、受光部の選択の際に生じる偽信号を除去することができる。
【００２１】
請求項７に記載の発明は、請求項１ないし請求項６の何れか１項に記載のスレーブストロボ制御装置と、ストロボ発光する閃光手段とを備え、スレーブストロボ制御装置は、閃光手段のストロボ発光開始または発光停止の制御を行うことを特徴とする。
【００２２】
【発明の実施の形態】
以下、図面を用いて本発明の実施形態を説明する。
【００２３】
図１は、第１の実施形態のスレーブストロボ制御装置の概略斜視図である。なお、本実施形態は、請求項１〜６に記載の発明に対応する。
図１において、スレーブストロボ１はストロボシュー２を介してスレーブストロボ制御装置３と接続される。
スレーブストロボ制御装置３の筐体は、本体カバー３ａと前カバー３ｂとから構成される。本体カバー３ａは、装置の上下、左右、後ろ側のカバーであり、前カバー３ｂは、装置の前側のカバーである。本体カバー３ａは、赤外光のみを透過する樹脂で構成される。例えば、アクリルまたはポリカーボネートなどの透明なプラスチック材料に、可視光非透過・赤外光透過の染料を混合して製作され、外見上は可視光非透過なため黒色である。染料としては例えば、アンスラキノン系（ＲＥＤ）、アンスラキノン系（ＧＲＥＥＮ）、ペリレン系（ＹＥＬＬＯＷ）の３種類の赤外光透過染料を使用する。これにより、マスターストロボからのストロボ光に含まれる赤外光を、装置の上下、左右、後方から受光することができる。
【００２４】
一方、スレーブストロボ制御装置３の前カバー３ｂは、可視光および赤外光非透過の樹脂で構成されている。これは、スレーブストロボ制御装置３内部の受光素子が、スレーブストロボ１自身の発光による被写体からの反射光を直接拾わないようにするためである。すなわち、スレーブストロボ１は、マスターストロボに連動して発光を開始するが、スレーブストロボ制御装置３内部の受光素子が、スレーブストロボ１自身の発光による被写体からの反射光を直接拾うと、その反射光に邪魔されてマスターストロボの発光停止が検知できず、スレーブストロボ１がフル発光してしまう弊害を回避するためである。
【００２５】
スレーブストロボ制御装置３の内部には、赤外光検出の受光素子４、５、６が配置される。
受光素子５は、ここでは受光素子４より受光感度が低い素子であり、接写等の近距離撮影時に使用する。受光素子６は、バウンス撮影時に使用する受光素子で、スレーブストロボ制御装置３の上方を向いて配置される。
【００２６】
スレーブストロボ制御装置３の上部には、回転ノブ７が設けられており、受光素子４、５は、回転ノブ７に軸着されている。したがって、回転ノブ７の回転動作に従って受光素子４、５は、回転ノブ７の軸中心に回転する。
スレーブストロボ制御装置３の側面には、モード切り替えスイッチ８が設けられている。モード切り替えスイッチ８は、マスターストロボとスレーブストロボ制御装置３とが近接した距離で被写体を照明する場合にセットする近距離ポジション（ａ）と、マスターストロボがスレーブストロボ制御装置３から通常の距離で被写体を照明する場合にセットする通常距離ポジション（ｂ）と、マスターストロボのストロボ光を天井などに反射させて間接照明を行いながら、スレーブストロボで被写体を照明する場合にセットするバウンス・ポジション（ｃ）と、直射あるいは間接照明に関係なく、マスターストロボの発光の開始のみを高感度で検知するマニュアルスレーブポジション（ｄ）とを切り替えるスイッチである。
【００２７】
（通常距離ポジション）
図２は、スレーブストロボ制御装置３を利用したワイヤレスストロボ撮影を説明する図である。ここでは、「マスターストロボとスレーブストロボとの距離が通常の場合」の撮影例を示している。図２において、カメラ９の上部にはマスターストロボ１０が設置されており、カメラ９およびマスターストロボ１０は、被写体１１方向に向けられている。
【００２８】
スレーブストロボ制御装置３は、マスターストロボ１０のストロボ光が照射される位置に配置される。このとき、受光素子４、５は、回転ノブ７の操作で回動自在であり、受光素子４、５の受光面を、マスターストロボ１０に対向させることができる。したがって、スレーブストロボ制御装置３は、マスターストロボ１０の発光開始と発光停止とを確実に検知することができる。
【００２９】
ここでは、マスターストロボ１０とスレーブストロボ１との距離が通常の場合であるため、まず撮影者は、スレーブストロボ制御装置３のモード切り替えスイッチ８を、通常距離ポジション（ｂ）にセットする。
次に、撮影者がカメラ９のシャッタボタンを押して撮影を開始すると、マスターストロボ１０が発光を開始する。マスターストロボ１０のストロボ光に含まれる赤外光の一部は、本体カバー３ａを透過して、受光素子４、５に入射する。
【００３０】
スレーブストロボ制御装置３は、入射光の立ち上がりを検出すると、スレーブストロボ１に発光開始の信号を出力する。
スレーブストロボ１は、スレーブストロボ制御装置３からの発光開始信号を受信すると発光を開始する。
マスターストロボ１０およびスレーブストロボ１のストロボ光は、被写体１１を照明し、その反射光は、カメラ９の撮影レンズを通過して、カメラ９に内蔵される不図示のＴＴＬ調光回路に導かれる。ＴＴＬ調光回路は、被写体１１からの反射光を光量積分し、適正露光量になるとマスターストロボ１０に発光停止信号を送り、マスターストロボ１０は発光を停止する。
【００３１】
スレーブストロボ制御装置３は、マスターストロボ１０の発光の立ち下がりを検出すると、発光停止信号をスレーブストロボ１に送り、スレーブストロボ１はストロボ発光を停止する。
以上のスレーブストロボ１のストロボ発光開始・発光停止の動作を図３を参照して詳細に説明する。
【００３２】
図３は、スレーブストロボ制御装置３の内部回路図である。図３の受光素子ＰＤ１、ＰＤ２、ＰＤ３は、図１の受光素子５、４、６に対応する。受光素子ＰＤ１は、他の受光素子ＰＤ２、ＰＤ３よりも受光面積が小さいため、同じ明るさの光に対して光電流が小さい（すなわち、受光感度が低い）。
図３において、電源Ｖccは、抵抗Ｒ１の一方の端子、受光素子ＰＤ１のカソード、トランジスタＱ２のエミッタ、抵抗Ｒ４の一方の端子、コンデンサＣ２の一方の端子、トランジスタＱ３のエミッタ、抵抗Ｒ６の一方の端子、コンデンサＣ３の一方の端子、抵抗Ｒ１０の一方の端子、トランジスタＱ４のエミッタ、コンデンサＣ４の一方の端子およびトランジスタＱ５のエミッタと接続される。
【００３３】
抵抗Ｒ１の他方の端子は、トランジスタＱ５のコレクタおよび抵抗Ｒ２の一方の端子と接続される。抵抗Ｒ２の他方の端子は、抵抗Ｒ３の一方の端子およびダイオードＤ１のアノードと接続される。抵抗Ｒ３の他方の端子は、コンデンサＣ１の一方の端子およびトランジスタＱ１のベースと接続される。
トランジスタＱ１のコレクタは、ダイオードＤ１のカソード、受光素子ＰＤ１、ＰＤ２、ＰＤ３のアノードおよび電圧増幅器２１と接続される。受光素子ＰＤ２のカソードは、トランジスタＱ２のコレクタと接続され、トランジスタＱ２のベースは、抵抗Ｒ４の他方の端子、コンデンサＣ２の他方の端子および抵抗Ｒ５の一方の端子と接続される。
【００３４】
抵抗Ｒ５の他方の端子は、ダイオードＤ２のアノードおよびスイッチＳＷ１の端子ｂ’と接続される。受光素子ＰＤ３のカソードは、トランジスタＱ３のコレクタと接続され、トランジスタＱ３のベースは、抵抗Ｒ６の他方の端子、コンデンサＣ３の他方の端子および抵抗Ｒ７の一方の端子と接続される。
抵抗Ｒ７の他方の端子は、ダイオードＤ２のカソード、ダイオードＤ３のアノードおよびスイッチＳＷ１の端子ｃ’と接続される。
【００３５】
抵抗Ｒ１０の他方の端子は、トランジスタＱ４のベースおよび抵抗Ｒ１１の一方の端子と接続される。抵抗Ｒ１１の他方の端子は、ダイオードＤ３のカソードおよびスイッチＳＷ１の端子ｄ’と接続される。
トランジスタＱ４のコレクタは、抵抗Ｒ８の一方の端子と接続され、抵抗Ｒ８の他方の端子は、コンデンサＣ４の他方の端子、トランジスタＱ５のベースおよび抵抗Ｒ９の一方の端子と接続される。
【００３６】
一方、電圧増幅器２１の出力端子は、微分回路２２を介して発光開始検出回路２３および発光停止検出回路２４の入力端子に接続される。発光開始検出回路２３の出力端子は、ホットシュー２５に接続され、発光停止検出回路２４の出力端子は、スイッチＳＷ１の端子ａ、ｂ、ｃと接続される。また、スイッチＳＷ１の端子ｅは、ホットシュー２５と接続される。
【００３７】
コンデンサＣ１の他方の端子、トランジスタＱ１のエミッタ、スイッチＳＷ１の端子ｅ’および抵抗Ｒ９の他方の端子は、グランドに接地される。
なお、抵抗Ｒ２、Ｒ３、ダイオードＤ１、コンデンサＣ１およびトランジスタＱ１は、ＡＧＣ（Auto Gain control）回路を構成し、トランジスタＱ１のコレクタ電圧（Ｖce）は、このＡＧＣ回路の出力になっている。
【００３８】
また、請求項１〜６と本実施形態との対応関係は、受光部は、受光素子４〜６に対応し、選択手段は、モード切り替えスイッチ８及びスイッチＳＷ１に対応し、変動検出手段は、電圧増幅器２１および微分回路２２に対応し、制御手段は、発光開始検出回路２３および発光停止検出回路に対応し、平滑化手段は、コンデンサＣ２およびＣ３に対応する。
【００３９】
次に、この回路の動作について説明する。モード切り替えスイッチ８が通常距離ポジション（ｂ）に切り替わると、スイッチＳＷ１がそれに連動し、端子ｂと端子ｅとが接続され、端子ｂ’と端子ｅ’とが接続される。
端子ｂ’と端子ｅ’とが接続されると、抵抗Ｒ５を介してコンデンサＣ２が充電され、トランジスタＱ２のべース電圧が所定の電圧（Ｖbe＝０.６Ｖ）に達すると、トランジスタＱ２のべース電流が抵抗Ｒ５を通して流れ、トランジスタＱ２が導通し、受光素子ＰＤ２が受光素子ＰＤ１に並列接続される。このとき、コンデンサＣ２の充電が徐々に進行するため、トランジスタＱ２は非導通状態から導通状態に徐々に変化する。このため、ＡＧＣ回路は、受光素子ＰＤ２の接続に伴う急激な電圧上昇を受けず、これによるスレーブストロボ１の誤発光を防止することができる。これを図を参照して以下に説明する。
【００４０】
図４は、受光素子であるフォトダイオードの等価回路を示す図である。図４において、ｉは光を受けることにより発生する光電流源、Ｄはフォトダイオード内部の理想ダイオード、ＣはダイオードのＰＮジャンクションの接合容量である。受光素子ＰＤは受光する光量に応じて、光電流ｉを発生する。また、接合容量Ｃには、約０.６Ｖの電圧が発生している。したがって、トランジスタＱ２が急激に非導通状態から導通状態に変化して受光素子ＰＤ２が接続されると、ＡＧＣ回路に接合容量Ｃの電圧がいきなり印加されることになり、ＡＧＣ回路の出力電圧（コレクタ電圧Ｖce）が急激に上昇する。それに伴って電圧増幅器２１の出力が急激に上昇し、続く発光開始検出回路２３が、この電圧上昇に基づいて発光開始信号を出力し、スレーブストロボ１が誤発光する。
【００４１】
このように、急激な電圧上昇がストロボ発光開始の偽信号となる場合があるため、コンデンサＣ２を設けることで、急激な電圧上昇を平滑化して抑制し、偽信号発生を防止している。
受光素子ＰＤ１、ＰＤ２が接続された状態で、まずマスターストロボ１０の発光が無い状態（受光素子ＰＤ１、ＰＤ２の光電流がない、あるいは非常に小さい状態）におけるこの回路の動作を説明する。
【００４２】
今、トランジスタＱ５が導通状態であるため、電源Ｖccからの電流は、トランジスタＱ５のエミッタおよびコレクタ、抵抗Ｒ２、ダイオードＤ１を通ってトランジスタＱ１のコレクタに流れ込み、抵抗Ｒ１はショートされている。
【００４３】
また、そのコレクタ電流を駆動するためのべース電流は、抵抗Ｒ２、Ｒ３を通ってトランジスタＱ１のべースに流れ込む。このとき、べース電流はコレクタ電流のおよそ１／電流増幅率（ｈfe）の関係となる。その結果、トランジスタＱ１のコレクタ電圧（Ｖce）はおよそ０.１Ｖで一定となる。
次に、受光素子ＰＤ１、ＰＤ２がマスターストロボ１０からの赤外光を受光して、トランジスタＱ１のコレクタに、光電流を出力した場合について説明する。図５（１）にマスターストロボ１０の発光波形を示す。
【００４４】
トランジスタＱ１のコレクタに光電流が流入した結果、コレクタ電圧（Ｖce）が上昇する。それに伴ってダイオードＤ１のアノード側の電圧が上昇し、抵抗Ｒ３に流れる電流が増加する。このとき、コンデンサＣ１はトランジスタＱ１のべースに対して遅延要素となっており、トランジスタＱ１のべース電圧（Ｖbe）は、コンデンサＣ１が充電に要する時間遅延してから上昇する。コンデンサＣ１の充電完了後、トランジスタＱ１のベース電流が増加し、トランジスタＱ１は、流入するコレクタ電流（光電流）を駆動することができ、ＡＧＣとして機能する。すなわち、ＡＧＣ回路の出力（コレクタ電圧Ｖce）は、コンデンサＣ１が充電されている間は、光電流の流入により上昇する。そして、コンデンサＣ１の充電が終了すると、ベース電流が増加し、トランジスタＱ１が、流入する光電流をエミッタに引き込むことでＡＧＣが機能し、一定電圧になる。図５（２）に示すように、ＡＧＣ回路の出力（コレクタ電圧Ｖce）は急激に上昇した後、一定電圧（１Ｖ〜２Ｖ程度）の状態になる。
【００４５】
ＡＧＣ回路の出力電圧は、電圧増幅器２１に入力され電圧増幅される。増幅電圧は、微分回路２２に伝達される。微分回路２２において、マスターストロボ１０の発光の立ち上がりには正の微分パルスが生成され、発光の立ち下がりには負の微分パルスが生成される。この波形を図５（３）に示す。
微分パルスは、発光開始検出回路２３および発光停止検出回路２４に入力される。発光開始検出回路２３は、正の微分パルスが入力されると、図５（４）に示すように、出力がＨレベルからＬレベルに変化する。スレーブストロボ１は、このタイミングでスレーブストロボ発光を開始する。
【００４６】
マスターストロボ１０とスレーブストロボ１とのストロボ光で照明された被写体が適正露光されると、カメラ内のＴＴＬ調光回路によってマスターストロボ１０の発光が停止する。発光停止のタイミングで、微分回路２２において負の微分パルスが生成され、発光停止検出回路２４に入力される。図５（５）に示すように、負の微分パルスが入力されると、発光停止検出回路２４の出力は、ＨレベルからＬレベルに変化する。スレーブストロボ１は、このタイミングで発光を停止する。図５（６）に、スレーブストロボ１の発光波形を示す。
【００４７】
このように、スレーブストロボ制御装置３は、微分回路２２によりマスターストロボ１０の発光開始・発光停止のタイミングを検出し、そのタイミングでスレーブストロボ１の発光開始・発光停止を行う。
（近距離ポジション）
次に、「マスターストロボとスレーブストロボとが近接（例えば、１ｍ以内）している場合」の撮影例について説明する。
【００４８】
図６に示すように、花のような被写体１１を撮影する場合には接写が行われる。スレーブストロボ制御装置３は、マスターストロボ１０のストロボ光が照射される位置で、かつマスターストロボ１０に非常に近い位置に配置される。そして、回転ノブ７の操作により受光素子４、５の受光面は、マスターストロボ１０に対向している。
【００４９】
通常距離ポジションで前述したように、スレーブストロボ制御装置３は、マスターストロボ１０の発光開始・発光停止に同期させて、スレーブストロボ１を発光開始・発光停止させる調光制御を行うが、本モードでは、マスターストロボ１０とスレーブストロボ制御装置３とが近距離であるため、受光素子４、５に入射する赤外光の強度が極端に高くなる。このままではＡＧＣ回路に過大な光電流が流れ込み、ＡＧＣ回路が飽和してしまい、マスターストロボ１０のストロボ発光停止の検出が遅れるという問題点があった。このＡＧＣ回路の飽和について、図３、図７を参照して説明する。図７は、左列に飽和しない場合のＡＧＣ回路の出力電圧波形およびスレーブストロボの発光波形、右列に飽和した場合のＡＧＣ回路の出力電圧波形およびスレーブストロボの発光波形を比較して示す。
【００５０】
図３において、ここでは、受光素子ＰＤ１、ＰＤ２が回路に接続されているとする。受光素子ＰＤ１、ＰＤ２には、強い光が入射するため大きな光電流が発生する。光電流は、トランジスタＱ１のコレクタに流れ込み、コレクタ電圧は大きく上昇する。コレクタ電圧が上昇し、ダイオードＤ１のカソードの電位がアノードの電位より大きくなり、ダイオードＤ１に流れる電流がゼロになったとき、電源Ｖccの電流は、抵抗Ｒ２を介して全て抵抗Ｒ３を流れてトランジスタＱ１のべースに流れ込む。さらに、このべース電流の電流増幅率（ｈfe）倍を超える光電流がトランジスタＱ１のコレクタに流れ込むとき、コレクタ電圧は極端に上昇し、受光素子の光電流は、トランジスタＱ１のエミッタで吸収されなくなり、図７に示すようにＡＧＣ回路が飽和状態となる。
【００５１】
ＡＧＣ回路が飽和状態にあるとき、受光素子ＰＤ１、ＰＤ２の接合容量Ｃに蓄積される電荷によって、ＡＧＣ回路の応答速度は著しく低下し、マスターストロボ１０の発光の停止より数十μｓ遅れてコレクタ電圧が立ち下がる。その結果、図７に示すようにスレーブストロボ１の発光停止が遅延Ｔ遅れ、露出オーバーになる。
【００５２】
そこで、マスターストロボ１０とスレーブストロボ１との距離が近接している場合には、撮影者は、スレーブストロボ制御装置３のモード切り替えスイッチ８を、近距離ポジション（ａ）にセットする。これにより、マスターストロボ１０からの強い光を受光素子が受ける場合に、受光素子の受光面積（個数）を減らすことで光電流を低減させ、ＡＧＣ回路の飽和現象およびそれに伴うスレーブストロボ１の発光停止の遅延を防止することができる。本実施形態では、受光素子４、６を回路から切り離し、受光感度の低い受光素子５のみで、マスターストロボ１０のストロボ光を受光する。
【００５３】
この動作を図３を参照して説明する。モード切り替えスイッチ８が近距離ポジション（ａ）に切り替わると、スイッチＳＷ１がそれに連動し、端子ａと端子ｅとが接続され、端子ａ’と端子ｅ’とが接続される。
端子ａ’と端子ｅ’とが接続されるときには、トランジスタＱ２、Ｑ３およびＱ４の各ベース電流は流れないため、トランジスタＱ２、Ｑ３およびＱ４は、非導通状態になる。このとき、受光素子ＰＤ２、ＰＤ３は、ＡＧＣ回路から切り離され、受光素子ＰＤ１に発生する光電流のみがトランジスタＱ１のコレクタに流れ込む。受光素子ＰＤ１の受光面積は、受光素子ＰＤ２、ＰＤ３の受光面積と比較すると小さいため、発生する光電流も小さく、近接した状況においてもＡＧＣ回路の飽和現象は起こらない。したがって、スレーブストロボ１の発光停止の遅延による露出オーバーを回避することができる。
【００５４】
（バウンス・ポジション）
次に、「マスターストロボがバウンス（間接照明）設定の場合」の撮影例について説明する。
図８に示すように、バウンス撮影は、バウンス撮影用マスターストロボ１２を天井等に向けて発光させ、その反射光で被写体を照明すると同時にスレーブストロボ１で直接被写体１１を照明する撮影である。
【００５５】
スレーブストロボ制御装置３の受光素子６は、受光素子４、５の受光方向と直交した方向に、すなわち受光面を装置上方向に向けて配置されている。受光素子４、５は、マスターストロボ１２の発光を周囲物体の反射光でしか検知できないが、受光素子６は、マスターストロボ１２の発光による天井１３からの反射光を直接受光できるので、スレーブストロボ制御装置３は、マスターストロボ光の発光の立ち上がり、立ち下がりを確実に検出することができる。
【００５６】
マスターストロボ１２によるバウンス撮影を行う場合には、撮影者は、スレーブストロボ制御装置３のモード切り替えスイッチ８をバウンス・ポジション（ｃ）にセットする。
図３において、モード切り替えスイッチ８がバウンス・ポジション（ｃ）に切り替わると、スイッチＳＷ１がそれに連動し、端子ｃと端子ｅとが接続され、端子ｃ’と端子ｅ’とが接続される。
【００５７】
端子ｃ’と端子ｅ’とが接続されると、トランジスタＱ２のべース電流が抵抗Ｒ５、ダイオードＤ２、スイッチＳＷ１の端子ｃ’を経由してグランドに流れ、トランジスタＱ２が導通し、受光素子ＰＤ２がＡＧＣ回路に接続される。
また、トランジスタＱ３のべース電流は、抵抗Ｒ７、スイッチＳＷ１の端子ｃ’を経由してグランドに流れ、トランジスタＱ３が導通し、受光素子ＰＤ３もまたＡＧＣ回路に接続される。
【００５８】
このとき、コンデンサＣ２およびコンデンサＣ３の充電が徐々に進行するため、トランジスタＱ２およびトランジスタＱ３は、非導通状態から導通状態に徐々に変化する。このため、ＡＧＣ回路は、受光素子ＰＤ２、ＰＤ３の接続に伴う急激な電圧上昇を受けず、スイッチ切替時の偽信号によるスレーブストロボ１の誤発光を防止することができる。
【００５９】
以上のように、本モードでは受光素子６によって天井１３方向からの反射光を受光することができ、スレーブストロボ制御装置３は、マスターストロボ１２に同期させて、スレーブストロボ１の発光開始・発光停止の制御を行うことができる。
（マニュアルスレーブポジション）
次に「マスターストロボの発光開始だけを検知する場合」の撮影例について説明する。撮影によっては、スレーブストロボの発光量をマスターストロボの発光量と無関係に設定する必要がある。例えば、マスターストロボを主要被写体に向けて自動調光で適正露光となるようセットし、主要被写体の後ろの壁に発生する影を消すために、スレーブストロボを主要被写体の影に向けて発光させる場合等である。
【００６０】
この場合に、スレーブストロボをマスターストロボの発光停止に連動させると、ＴＴＬ調光回路は両者の照明で適正露光になった時点で両者の発光を停止させてしまい、その結果、主要被写体の影が残ってしまう。通常、このような場合には、影を消すために壁が２〜４ＥＶオーバー露出になるようにスレーブストロボの発光量をセットし、スレーブストロボの発光の停止は、マスターストロボの発光の停止と独立して行う。
【００６１】
上記のような撮影の場合、「マスターストロボの発光開始だけを検知する場合」として、モード切り替えスイッチ８をマニュアルスレーブポジション（ｄ）にセットする。
なお、この撮影においては、スレーブストロボ制御装置３は、マスターストロボの発光開始のみを検知すればよく、発光停止を検知する必要はないので、ＡＧＣ回路の飽和に配慮する必要はない。
【００６２】
図９において、カメラ９およびマスターストロボ１０は、被写体１１から遠方に位置しており、かつスレーブストロボ制御装置３からも遠く離れた位置にセットされている。この場合、マスターストロボ１０からスレーブストロボ制御装置３に到達する赤外光は微弱になり、マスターストロボ１０の発光の立ち上がりの検出が困難になる。
【００６３】
そこで、受光素子４、５、６を全て作動させて光電流を増加させた上に、ＡＧＣ回路の感度を向上させ、より暗い光でも検出可能にする。
この回路動作を図３を参照して説明する。
図３において、モード切り替えスイッチ８がマニュアルスレーブポジション（ｄ）に切り替わると、スイッチＳＷ１がそれに連動し、端子ｄと端子ｅとが接続され、端子ｄ’と端子ｅ’とが接続される。
【００６４】
端子ｄ’と端子ｅ’とが接続されると、トランジスタＱ２のべース電流が抵抗Ｒ５、ダイオードＤ２、Ｄ３、スイッチＳＷ１の端子ｄ’を経由してグランドに流れ、トランジスタＱ２が導通し、受光素子ＰＤ２がＡＧＣ回路に接続される。また、トランジスタＱ３のべース電流は、抵抗Ｒ７、ダイオードＤ３、スイッチＳＷ１の端子ｄ’を経由してグランドに流れ、トランジスタＱ３が導通し、受光素子ＰＤ３もＡＧＣ回路に接続される。
【００６５】
ところで、モード切り替えスイッチ８がマニュアルスレーブポジション（ｄ）に切り替わる前では、トランジスタＱ４は非導通状態であり、トランジスタＱ５は導通状態である。したがって、抵抗Ｒ１はショートされていた。
モード切り替えスイッチ８がマニュアルスレーブポジション（ｄ）に切り替わると、電源Ｖccの電流は、トランジスタＱ４のエミッタおよびべース、抵抗Ｒ１１、スイッチＳＷ１の端子ｄ’を経由してグランドに流れ、トランジスタＱ４が導通する。
【００６６】
このとき、コンデンサＣ４に蓄積された電荷が、トランジスタＱ４のエミッタおよびコレクタ、抵抗Ｒ８のループで放電されるため、図中Ａ点の電位がほぼ電源Ｖccの電位に上昇し、トランジスタＱ５のベース電圧Ｖbeがほぼ０になる。このため、トランジスタＱ５のベースに電流が流れなくなり、トランジスタＱ５は、徐々に導通状態から非導通状態に変化する。
【００６７】
トランジスタＱ５が非導通状態になると、ＡＧＣ回路に抵抗Ｒ１が接続され、電源Ｖccの電流は、抵抗Ｒ１とＲ２を通ってＡＧＣ回路に流れ、ＡＧＣ回路は高感度になる。
すなわち、電源Ｖccの電流は、抵抗Ｒ１およびＲ２を通ってＡＧＣ回路に流れ込むため、抵抗Ｒ１がショートされていたときより、トランジスタＱ１のコレクタに流れ込む電流は小さくなる。したがって、受光素子ＰＤ１〜ＰＤ３から発生する光電流がより小さい場合でも、トランジスタＱ１のコレクタ電圧Ｖceは上昇することになり、ＡＧＣ回路の感度が向上する。ここでは、抵抗Ｒ１を抵抗Ｒ２の約１０倍程度の大きさにすることで、感度を約１０倍高く設定する（すなわち約１／１０の電流でもＡＧＣ回路が動作する）。
【００６８】
スレーブストロボ制御装置３は、ＡＧＣ回路が高感度の状態で、マスターストロボ１０の発光開始を検出し、それに同期させてスレーブストロボ１のストロボ発光を開始させる。
このとき、スイッチＳＷ１の端子ｄと端子ｅとが接続され、発光停止検出回路２４は、ホットシュー２５と接続されておらず、スレーブストロボ１にはスレーブストロボ制御装置３からの発光停止信号が伝達されない。したがって、スレーブストロボ１は、所定量発光するとマスターストロボ１０とは独立に発光を停止する。
【００６９】
このように、本モードでは、受光素子４〜６を全て作動させ、光電流を増加させると同時にＡＧＣ回路の感度を高感度に設定することで、遠距離からでもマスターストロボ１０の発光開始を検知することができる。
また、コンデンサＣ４によってトランジスタＱ５は、徐々に導通状態から非導通状態に変化する。したがって、ＡＧＣ回路の感度切り替え時に発生する偽信号を除去することができるため、スレーブストロボ１の誤発光を防止することができる。
【００７０】
（第１の実施形態の効果）
このように、第１の実施形態のスレーブストロボ制御装置では、様々な撮影状況において、受光素子に入射するマスターストロボ光の強度が変化しても、それに応じて受光素子４〜６を適時選択することで、受光素子の出力レベルを所定のダイナミックレンジ内に調節することができる。したがって、マスターストロボの発光開始・発光停止を遅延なく、確実に検出することができ、スレーブストロボの発光開始・発光停止を、マスターストロボに同期させることができる。
【００７１】
（第２の実施形態）
図１０は、スレーブストロボ１と、スレーブストロボ制御装置３とが一体的に構成されているスレーブストロボ装置である。なお、第２の実施形態は、請求項７に記載の発明に対応する。
図１０において、スレーブストロボ制御装置３の筐体は、本体カバー３ａと前カバー３ｂとから構成される。本体カバー３ａは、スレーブストロボ制御装置３の上下、左右、後ろ側のカバーであり、前カバー３ｂは、装置の前側のカバーである。本体カバー３ａは、赤外光のみを透過する樹脂で構成される。例えば、アクリルまたはポリカーボネートなどの透明なプラスチック材料に、可視光非透過・赤外光透過の染料（アンスラキノン系（ＲＥＤ）、アンスラキノン系（ＧＲＥＥＮ）、ペリレン系（ＹＥＬＬＯＷ）の３種類の染料など）を混合して製作され、外見上は可視光非透過なため黒色である。一方、スレーブストロボ制御装置３の前カバー３ｂは、可視光および赤外光非透過の樹脂で構成されている。
【００７２】
なお、その他の構成要素については、図１と同じ参照番号を付与して示し、ここでの説明は省略する。また、請求項７と本実施形態との対応関係については、スレーブストロボ制御装置は、スレーブストロボ制御装置３に対応し、閃光手段は、スレーブストロボ１に対応する。
また、このスレーブストロボ装置の動作については第１の実施形態で既に説明しており、ここでの詳細は省略する。また、第２の実施形態のスレーブストロボ装置の効果は、第１の実施形態と同様の効果を有する。
【００７３】
なお、本実施形態では、撮影条件に応じて複数の受光素子から何れかの受光素子を選択することで光電流のレベル調節を行っていたが、それに限定されず、例えば、１つの受光素子の前にＮＤフィルタを配置して光電流のレベル調節を行うことも可能である。但し、この場合には、複雑なＮＤフィルタの制御が必要になる。
【００７４】
また、本実施形態の受光素子５は、受光面積を小さくすることでその受光感度を低感度化させたが、それに限定されず、素子を構成する半導体材料を変更して受光感度を低感度化させてもよい。
また、本実施形態では、撮影者のモード選択によって受光素子の選択切替が実行されたが、受光素子各々の出力を装置側がレベル検知して、出力レベルが所定のダイナミックレンジに収まるように、装置が受光素子を自動的に選択してもよい。
【００７５】
また、受光素子の配置位置、数量、大きさ等は、本実施形態で一例として示したものであり、それに限定されるものではない。
【００７６】
【発明の効果】
以上のように、請求項１に記載のスレーブストロボ制御装置、または請求項７に記載のスレーブストロボ装置では、撮影条件（例えば、接写や遠距離撮影等）によって受光部に入射するマスターストロボ光の強度が変わっても、それに合わせて受光部を選択することができ、光電信号の出力レベルを所定のダイナミックレンジ内に調節することができる。したがって、マスターストロボ光の変動（発光の立ち上がり、立ち下がり）を確実に検出することができ、スレーブストロボの発光開始・発光停止を、マスターストロボの発光開始・発光停止に同期させることができる。
【００７７】
請求項２に記載のスレーブストロボ制御装置では、接写によってマスターストロボ光の強度が極端に上昇しても、受光感度の低い受光部を選択することで、光電信号のレベル上昇を抑え、マスターストロボ光の変動を遅れなく確実に検出することができる。
請求項３に記載のスレーブストロボ制御装置では、受光部全てによってマスターストロボ光を受光するため、例えば、遠距離撮影においてマスターストロボ光が微弱であっても、その変動を確実に検出することができる。
【００７８】
請求項４に記載のスレーブストロボ制御装置では、装置上方向に受光面を向けて配置されるバウンス撮影用受光部を備えているため、バウンス撮影においてもマスターストロボ光の変動を確実に検出することできる。
請求項５に記載のスレーブストロボ制御装置では、受光部の受光面の向きが回動自在であるため、撮影者は、自由に受光面をマスターストロボ方向に向けることができ、マスターストロボ光の変動を確実にとらえることができる。
【００７９】
請求項６に記載のスレーブストロボ制御装置では、スイッチ手段によって受光部が選択される際に生じる光電信号の変動を平滑化することができるため、受光部の選択の際に生じる偽信号を除去することができ、その偽信号によるスレーブストロボの誤発光を防止することができる。
このようにして、本発明を適用したスレーブストロボ制御装置およびスレーブストロボ装置では、近距離撮影、遠距離撮影、バウンス撮影の各種の撮影においても、マスターストロボ光の変動（発光の立ち上がり、立ち下がり）を検出することができるため、スレーブストロボの発光開始・発光停止を、マスターストロボの発光開始・発光停止に同期させることができる。
【図面の簡単な説明】
【図１】第１の実施形態のスレーブストロボ制御装置の概略斜視図である。
【図２】スレーブストロボ制御装置を利用したワイヤレスストロボ撮影を説明する図である。
【図３】スレーブストロボ制御装置の内部回路図である。
【図４】フォトダイオードの等価回路を示す図である。
【図５】調光動作について説明する図である。
【図６】スレーブストロボ制御装置を利用した近接撮影を説明する図である。
【図７】ＡＧＣ回路の飽和を説明する図である。
【図８】スレーブストロボ制御装置を利用したバウンス撮影を説明する図である。
【図９】スレーブストロボ制御装置を利用した遠距離撮影を説明する図である。
【図１０】第２の実施形態のスレーブストロボ装置の概略斜視図である。
【図１１】従来のワイヤレスストロボ増灯システムを説明する図である。
【図１２】解決する課題を説明する図である。
【符号の説明】
１  スレーブストロボ
２  ストロボシュー
３  スレーブストロボ制御装置
４、５、６  受光素子
７  回転ノブ
８  モード切り替えスイッチ
９  カメラ
１０、１２  マスターストロボ
１１  被写体
１３  天井
２１  電圧増幅器
２２  微分回路
２３  発光開始検出回路
２４  発光停止検出回路
２５  ホットシュー
【図１】
0003975538.tif 000002
【図２】
0003975538.tif 000003
【図３】
0003975538.tif 000004
【図４】
0003975538.tif 000005
【図５】
0003975538.tif 000006
【図６】
0003975538.tif 000007
【図７】
0003975538.tif 000008
【図８】
0003975538.tif 000009
【図９】
0003975538.tif 000010
【図１０】
0003975538.tif 000011
【図１１】
0003975538.tif 000012
【図１２】
0003975538.tif 000013